(57)【要約】　　　（修正有）【課題】設置や移動が容易となるようにアーチを形成し、そのアーチが所望の情報を掲揚できるようにする。【解決手段】本考案のバルーンアーチは、気体を封入する気体封入袋からなるゲート本体１と、ゲート本体の両端に設けられる路肩固定用の一対の保持手段と、を備え、ゲート本体が、気体封入によって、通路を跨ぐアーチ形状に自立できる可撓性部材で形成されている。保持手段は、ゲート本体に連結されるように設けられた連結手段と、重量物２ａを封入するように設けられた封入容器２と、を備え、封入容器の重さで、ゲート本体を路肩に固定する。ゲート本体が、ヘリウムガスの封入によって、浮上させて構成されていること、及び／又は、複数の分割体を連結して構成されていることを特徴とする。ゲート本体には、ゲート本体を飾る表示体、及び、表示体を係止する係止部材が設けられていることを特徴とする。【選択図】　　　　　図１
0003097417.tif 000002
【実用新案登録請求の範囲】
【請求項１】
バルーンを用いてゲートを構築するバルーンアーチにおいて、前記バルーンアーチは、気体を封入するために、気体の注入・排出のための開口部及びその封止蓋を設けた気体封入袋からなるゲート本体と、該ゲート本体の両端に設けられる路肩固定用の一対の保持手段と、を備え、前記ゲート本体は、気体封入によって、通路を跨ぐアーチ形状に自立できる可撓性部材で形成されていることを特徴とするバルーンアーチ。
【請求項２】
前記保持手段は、前記ゲート本体に連結されるように設けられた連結手段と、重量物を封入するように設けられた封入容器と、を備え、前記封入容器の重さで、前記ゲート本体を路肩に固定することを特徴とする請求項１に記載のバルーンアーチ。
【請求項３】
前記連結手段は、互いに係合する面ファスナー、もしくは、ジッパーファスナーであることを特徴とする請求項２に記載のバルーンアーチ。
【請求項４】
前記ゲート本体は、ヘリウムガスの封入によって、浮上させて構成されていることを特徴とする請求項１から３のいずれか１項に記載のバルーンアーチ。
【請求項５】
前記ゲート本体は、複数の分割体を連結して構成されていることを特徴とする請求項１から４のいずれか１項に記載のバルーンアーチ。
【請求項６】
前記ゲート本体には、前記ゲート本体を飾る表示体、及び、前記表示体を係止する係止部材が設けられていることを特徴とする請求項１から５のいずれか１項に記載のバルーンアーチ。
【請求項７】
請求項１から６のいずれか１項に記載のバルーンアーチは、前記一対の保持手段近傍の固定物に掛け渡して連結部材を設けると共に、前記連結部材と前記係止部材との間を連結する紐で、前記ゲート本体を吊下げて、前記ゲート本体の自立を補助するようにしたことを特徴とする。
【請求項８】
前記表示体は、前記ゲート本体の所定箇所を覆うシート体、もしくは、前記係止部材に取付けられたバルーン、もしくは、前記紐に取付けられた旗であることを特徴とする請求項１から７のいずれか１項に記載のバルーンアーチ。
【考案の詳細な説明】
【０００１】
【考案の属する技術分野】
本考案は、特定された領域内への入口や、人や車の通行路に掛け渡されて構築されるバルーンを用いたアーチに関する。
【０００２】
【従来の技術】
一般的に、アーチは、特定領域内への入場者を歓迎する目的で、門（ゲート）や通路などの開口上部に、石や煉瓦を組み上げることにより形成され、さらに、杉や檜の青葉で包み、趣向を凝らしたものとなっている。このようなアーチの形状については、半円形形状に形成される弓形アーチが一般的であり、固定構造物として構成されている。しかし、このように固定構造物として構成されたものは、移動や設置が容易でなく、撤収する際にも費用がかかるものとなっていた。一方、バルーンは、気体を注入することにより、自在にその姿を現出させることができ、軽量であることから、広告媒体として利用されている。このような、バルーンに広告媒体を表示させるようにしたものとして、実用新案登録第３０８７３５４号には、バルーン広告装置が開示されている。このバルーン広告装置は、移動体にバルーンを装備して広告を表示するものであり、送風機、照明器、加熱バーナー等が好適に利用できるものとなっている。しかし、特定領域内に固定して設置され、人や車の通行路に掛け渡されて構築されるものではなかった。
【０００３】
【考案が解決しようとする課題】
本考案は、上記のような問題点に鑑みてなされたものであり、その目的とするところは、設置や移動が容易となるようにアーチを形成し、そのアーチが所望の情報を掲揚できるようにする。
【０００４】
【課題を解決するための手段】
上記目的を達成するために、本考案におけるバルーンアーチは、バルーンを用いてゲートを構築するバルーンアーチにおいて、前記バルーンアーチが、気体を封入するために、気体の注入・排出のための開口部及びその封止蓋を設けた気体封入袋からなるゲート本体と、該ゲート本体の両端に設けられる路肩固定用の一対の保持手段とを備え、前記ゲート本体が、気体封入によって、通路を跨ぐアーチ形状に自立できる可撓性部材で形成されていることを特徴とする。前記保持手段は、前記ゲート本体に連結されるように設けられた連結手段と、重量物を封入するように設けられた封入容器と、を備え、前記封入容器の重さで、前記ゲート本体を路肩に固定することを特徴とする。前記連結手段は、互いに係合する面ファスナー、もしくは、ジッパーファスナーであることを特徴とする。また、前記ゲート本体が、ヘリウムガスの封入によって、浮上させて構成されていること、及び／又は、複数の分割体を連結して構成されていることを特徴とする。前記ゲート本体には、前記ゲート本体を飾る表示体、及び、前記表示体を係止する係止部材が設けられていることを特徴とする。さらに、本考案におけるバルーンアーチは、前記一対の保持手段近傍の固定物に掛け渡して連結部材を設けると共に、前記連結部材と前記係止部材との間を連結する紐で、前記ゲート本体を吊下げて、前記ゲート本体の自立を補助するようにしたことを特徴とする。前記表示体は、前記ゲート本体の所定箇所を覆うシート体、もしくは、前記係止部材に取付けられたバルーン、もしくは、前記紐に取付けられた旗であることを特徴とする。
【０００５】
アーチ形状に自立できる可撓性部材に気体を封入することにより、通路を跨ぐアーチ形状の構造物が容易に形成できる。また、気体を抜くことで、撤収、及び、移動が容易なアーチとなる。砂、水、ジェルを、封入容器に入れて保持手段を構成することにより、ゲート本体を路肩に固定することができる。ゲート本体および保持手段が、連結手段（面ファスナー、ジッパーファスナー）により係合するように構成されているので、必要に応じて着脱が自在である。気体として、ヘリウムガスを用いることにより、ゲート本体を浮上させることができる。ゲート本体を複数の分割体として構成することにより、持ち運びや収納に便利なものとなる。ゲート本体に表示体が取付けられ、所望の情報が掲揚できるようになるので、多くの人に広告されるものとなる。また、表示体が別体として設けられたものは、その表示体を外し、他の表示体に差し替えることができるので、汎用性のあるものとなる。
一対の保持手段近傍の固定物として、立ち木などが利用できるが、立ち木などの固定物に掛け渡して連結部材を設け、紐でゲート本体を吊下げてることにより、ゲート本体の自立が補助される。このように、ゲート本体の自立が補助された場合は、予期せぬ自然環境の変化に対応できるので安全性が向上する。
表示体は、ゲート本体に設けられるシート状の布などであるが、その他にも、ゲート本体の係止部材にバルーンを取付けて表示すること、及び、連結部材と係止部材との間を連結する紐に旗を設け、これらを利用して企業広告等が好適に表示できるものとなる。
【０００６】
【考案の実施の形態】
図１は、本考案のバルーンアーチ１０を示した斜視図である。このバルーンアーチ１０は、気体の注入・排出のための開口部及びその封止蓋（図省略）を設けた気体封入袋で形成したゲート本体１と、このゲート本体１と外形が連続するように形成した封入容器２に重量物２ａ（砂、水、ジェル、金属等）を入れて、ゲート本体１を路肩に固定するようにした保持手段と、を備えて構成されている。また、ゲート本体１は、気体（空気もしくはヘリウムガス）を通過させない可撓性部材で形成されるが、好ましくは、ゴムや合成樹脂を利用して略円筒形状の筒状体として形成される。即ち、気体が充満して自立させた際に、中央のゲート部分（通行路部分）が、半円形形状になるように形成される。保持手段（封入容器２及び重量物２ａ）は、ゲート本体１の左右端において、ジッパーファスナー８（連結手段）を取付けることにより着脱自在なものとして形成される。
【０００７】
図２は、ゲート本体１及び保持手段（封入容器２及び重量物２ａ）の取付けを示す説明図である。この実施の形態においては、ゲート本体１の下端部の外周に面ファスナー１１が設けられ、また、この面ファスナー１１と係合する面ファスナー１１が、重量物２ａを封入した封入容器２の上端部内周に設けられる。これにより、ゲート本体１は、封入容器２に挿入されて固定される。
【０００８】
図３は、ゲート本体１に取付けられた取付け片５、及び、保持手段（重量物２ａ）を、ロープ３で連結した構成を示したものである。この取付け片５は、重量物２ａに連結させたロープ３が挿通できるように、半ドーナツ形状の両端部を、ゲート本体１の下方で複数個取付けたものである。これにより、重量物２ａにゲート本体１を牽引させ、ゲート本体１を安定的に固定する。重量物２ａとしては、容器に砂を入れて形成した砂袋、、水を入れた注水ウェイト、及び、ジェルを入れたジェル容器等が利用できる。この実施の形態におけるバルーンアーチ１０は、さらに、重量物２ａをゲート本体１の左右の接地点周囲に載置し、さらに、その周囲を囲うように遮蔽物４を設けて構成される。
【０００９】
図４は、ゲート本体１にヘリウムガスを充満して、空中に浮かせた構成を示したものである。このゲート本体１の左右端には、ロープ３が設けられており、重量物２ａで固定される。ゲート本体１を浮かせるために、可撓性部材は、軽い素材とすること、及び、充填されるヘリウムガスが抜け難いものとする必要があり、合成樹脂製フィルムが好適に利用される。
【００１０】
図５は、ゲート本体１の表面にシート体７（表示体）を取り付け掲揚したバルーンアーチ１０を示したものである。このように、シート体７を取り付け掲揚する為に、ゲート本体１の上縁、及び、下縁には、適宜間隔でシート体７を取付けるための取付け片５（係止部材）が設けられている。シート体７は、ゲート本体１に気体を充満させて自立させた際に、ゲート本体１の外周面を被うように形成され、ゲート本体１の取付け片５に対応して取付孔（図省略）を有している。これにより、シート体７の取付孔を取付け片５に挿通させ、取付け片５にベルト９を挿通し、ゲート本体１の背面でベルト９を締めてシート体７を取付ける。ベルト９の材質は、特に、限定されるものではないが、透明部材で形成された帯状部材もしくは紐状部材とすることにより、別体として取付けられたシート体７であっても、ゲート本体１に直接記載されたような印象を与えるものとなる。
【００１１】
この実施の形態におけるバルーンアーチ１０は、さらに、ゲート本体１の取付け片５に、バルーン（風船）１４を取り付けている。これにより、バルーンアーチ１０は装飾され、全体として華やかなイメージを与えるものとなる。このように構成されるバルーンアーチ１０は、シート体７に歓迎（ＷＥＬＣＯＭ）の文字やデザインを施し、来場者を迎える為に演出される。即ち、バルーンアーチ１０は、注入口（図省略）より気体を注入することにより、ゲート本体１を自立させ、シート体７に記載された文字やデザインが好適に視認できるものとなる。これにより、多くの人々に所望の情報が提供できる。また、バルーン（風船）１４が取り付けられた場合には、スポンサー名や企業広告等を表示して掲揚すること等、適宜実施できるものとなる。
シート体７の素材は、ゲート本体１と同一素材を用いる必要はなく、例えば、布製とし、これをゲート本体１と同一サイズの円筒形状に形成し、被せて掲揚するようにしてもよい。このように、シート体７を別体として設けたものは、利用目的別に文字やデザインが任意に選択できるものとなる。
【００１２】
図６は、ゲート本体１が中央で分割されるように、分割面を設けて構成したものであり、中央の分割面には面ファスナー１１を設け、気体を注入した状態で相互に係止できるようにしたものである。このように、ゲート本体１を分割したものは、設置や撤収など取り扱いが容易なものとなり、また、気体を排出した状態でコンパクトなものとすることができ、運搬等に支障を来たすことがない。
【００１３】
図７は、ゲート本体１の形状をランセット型としたものである。この他にも、ゲート本体１の形状を、窓枠のようなフラットアーチ（図省略）とすること、馬蹄形アーチ（図省略）とすること、草木の葉を模った多葉形アーチ（図省略）とすること等、適宜実施できるものである。尚、図は省略するが、一対の保持手段（重量物２ａ）に掛け渡して、ゲート本体１の自立を補助する補助部材（例えば、鉄パイプで枠を設けること）を備えた場合は、予期せぬ自然環境の変化に対応でき、バルーンアーチ１０の安全性が向上する。
【００１４】
図８は、人や車の通行路に掛け渡されて構築される本考案のバルーンアーチが、その近傍に有る立ち木などの固定物（ポールを立設してもよい）に掛け渡して連結部材１５（ロープ、棒、長尺な板等）を設けることにより、安定させて構成されることを示したものである。即ち、連結部材１５と取付け片５（係止部材）との間を紐１３で連結することにより、ゲート本体１を吊下げて、その自立を補助するようにしたものである。このように、紐１３でゲート本体１を吊下げるようにした場合には、紐１３に、例えば、色彩を施した旗１２などが取り付けられるものとなり、旗１２に様々な表示をして広告できるものとなる。
【００１５】
【考案の効果】
本考案は、上述のとおり構成されているので、次に記載する効果を奏する。
即ち、可撓性部材に気体を封入することで、アーチ形状に自立できるので、通路を跨ぐアーチ形状の構造物が容易に形成でき、また、気体を抜くことで、コンパクトなものとなるので、撤収、及び、移動が容易になる。
ゲート本体を固定する保持手段が、砂、水、ジェル等の重量物で簡単に設けられ、ゲート本体を路肩に固定することができる。
ゲート本体および保持手段が、連結手段により係合するように構成されているので、必要に応じて着脱が自在である。
気体として、ヘリウムガスを用いることにより、ゲート本体を浮上させてバルーンアーチを形成することができる。
ゲート本体を複数の分割体として構成することにより、持ち運びや収納が更に、便利なものとなる。
ゲート本体に表示体が別体として設けられたものは、その表示体を外し、他の表示体に差し替えることができるので、汎用性のあるバルーンアーチとなる。
固定物に掛け渡して連結部材を設け、紐でゲート本体を吊下げてることにより、予期せぬ自然環境の変化に対応でき、バルーンアーチの安全性が向上する。
表示体は、ゲート本体に設けられるシート体、係止部材に取り付けられたバルーン、連結部材と係止部材との間を連結する紐に設けられた旗であり、これらを利用してゲート本体を飾り、所望の情報や企業広告等が好適に表示できるものとなる。
【図面の簡単な説明】
【図１】半円形形状のバルーンアーチを示した説明図である。
【図２】ゲート本体と保持手段の取付けを示す説明図である。
【図３】ロープで牽引させて構成したバルーンアーチを示した説明図である。
【図４】空中に浮かせたバルーンアーチを示した説明図である。
【図５】表示体を設けたバルーンアーチを示した説明図である。
【図６】分割面を設けたバルーンアーチを示した説明図である。
【図７】ランセット形状のバルーンアーチを示した説明図である。
【図８】ゲート本体の自立が連結部材で補助されるバルーンアーチを示した説明図である。
【符号の説明】
１　ゲート本体
２　封入容器
２ａ　重量物
３　ロープ
４　遮蔽物
５　取付け片（係止部材）
７　シート体（表示体）
８　ジッパーファスナー
９　ベルト
１０　バルーンアーチ
１１　面ファスナー
１２　旗
１３　紐
１４　バルーン
１５　連結部材
【図１】
0003097417.tif 000003
【図２】
0003097417.tif 000004
【図３】
0003097417.tif 000005
【図４】
0003097417.tif 000006
【図５】
0003097417.tif 000007
【図６】
0003097417.tif 000008
【図７】
0003097417.tif 000009
【図８】
0003097417.tif 000010